(57)【要約】【課題】演算式を容易に更新でき、更新後の演算式で過去の入力データを再演算することにより、入力データを汎用ソフトウェアで再加工する手間を削減する。【解決手段】データ演算部２４を演算式記憶部２２内の演算式データに基づいて入力データを演算する構成とし、演算式更新部２９が、演算式記憶部２２内の演算式データを更新する。再演算部３０は、入力された日時データ及び再演算指令に基づいて、データ保存部２１内の該当する日時データから現在の日時データまでの日時データに関連する計測データを保存データ管理部２５を介して検索する。しかる後、再演算部３０は、検索された計測データに対し、演算式記憶部２２内の演算式データに基づいて演算を実行し、得られた新たな演算結果データを保存データ管理部２５を介してデータ保存部２５に書き込むことにより、当該データ保存部２１内の演算結果データを更新する。【選択図】      図１
2008102710.tif 000002
【特許請求の範囲】
【請求項１】
管理対象のビル内設備の状態の計測値を示す入力データを保存すると共に、前記入力データを演算して得られた演算結果データを保存するビル管理装置であって、
前記演算結果データを得るための演算式データが記憶される演算式記憶手段と、
入力された演算式更新指令及び更新後の演算式データに基づいて、前記演算式記憶手段内の演算式データを前記更新後の演算式データに更新する演算式更新手段と、
前記入力データ、前記演算結果データ及び日時データが互いに関連付けられて保存されるデータ保存手段と、
前記演算式記憶手段内の演算式データに基づいて前記入力データを演算し、演算結果データを得る演算手段と、
前記入力データ及び前記演算手段により得られた演算結果データに日時データを付加し、当該入力データ、当該演算結果データ及び当該日時データを互いに関連付けて前記データ保存手段に書き込む保存データ書込手段と、
入力された日時データ及び再演算指令に基づいて、前記データ保存手段内の該当する日時データから現在の日時データまでの日時データに関連する入力データに対し、前記演算式記憶手段内の演算式データに基づいて演算を実行し、新たな演算結果データを得る再演算手段と、
前記新たな演算結果データを前記データ保存手段に書き込むことにより、当該データ保存手段内の演算結果データを更新する演算結果更新手段と
を備えたことを特徴とするビル管理装置。
【請求項２】
請求項１に記載のビル管理装置において、
入力された日時データ及びグラフ作成指令に基づいて、前記データ保存手段内の該当する日時データに関連する演算結果データを用いてグラフデータを作成するグラフ作成手段と、
前記グラフデータの表示処理を実行するグラフ表示手段と
を備えたことを特徴とするビル管理装置。
【発明の詳細な説明】
【技術分野】
【０００１】
本発明は、ビル管理装置に関する。
【背景技術】
【０００２】
一般に、オフィスビル、デパート、住居ビルなどのビルでは、ビル内設備を管理するためのビル管理装置が用いられている。
【０００３】
この種のビル管理装置は、ビル内設備から入力される入力データを、所定の演算式により演算する機能を備えている（例えば、特許文献１参照）。ビル管理装置は、入力データの保存処理を実行すると共に、この保存処理と並列に入力データの演算処理を実行する。これにより、入力データと演算結果データは１分、１０分、１時間などの定周期でビル管理装置に随時保存される。
【０００４】
また、ビル管理装置においては、操作者の操作により、保存した入力データや演算結果データを、表やグラフに加工して出力可能とし、また、ｃｓｖ形式(comma separated value: カンマ区切りテキスト形式)などのファイルで読出可能とする。これらの表、グラフ又はｃｓｖファイル等は、エネルギー管理や検証、コミッショニング（分析・評価）に利用される。
【特許文献１】特開２００６−１６２０９３号公報
【発明の開示】
【発明が解決しようとする課題】
【０００５】
しかしながら、以上のようなビル管理装置では、エネルギー管理や検証、コミッショニングを長期間行う際に、途中で設備が増設されたり、運転方法が変更されたりする場合がある。この場合、ビル管理装置内の演算式を更新する必要が生じるが、タイムリーな更新は困難である。
【０００６】
また、長期間、データを演算・保存し、後日まとめて閲覧した際に、演算結果データの値が異常なことに気づく場合もある。また、演算式に誤りがある場合もあり、この場合、所定の演算式により演算・保存されたデータでは評価ができない問題がある。
【０００７】
また、演算式を更新したとしても、更新した以降の入力データには演算が反映されるが、更新前の入力データには演算が反映されない。
【０００８】
従って、演算式更新前の入力データを再演算して保存したい場合、ｃｓｖ等の形式で読み出したデータをＥｘｃｅｌ（登録商標）などの汎用ソフトウェアで再加工するという手間がかかってしまう。
【０００９】
本発明は上記実情を考慮してなされたもので、演算式を容易に更新でき、更新後の演算式で過去の入力データを再演算することにより、入力データを汎用ソフトウェアで再加工する手間を削減し得るビル管理装置を提供することを目的とする。
【課題を解決するための手段】
【００１０】
第１の発明は、管理対象のビル内設備の状態の計測値を示す入力データを保存すると共に、前記入力データを演算して得られた演算結果データを保存するビル管理装置であって、前記演算結果データを得るための演算式データが記憶される演算式記憶手段と、入力された演算式更新指令及び更新後の演算式データに基づいて、前記演算式記憶手段内の演算式データを前記更新後の演算式データに更新する演算式更新手段と、前記入力データ、前記演算結果データ及び日時データが互いに関連付けられて保存されるデータ保存手段と、前記演算式記憶手段内の演算式データに基づいて前記入力データを演算し、演算結果データを得る演算手段と、前記入力データ及び前記演算手段により得られた演算結果データに日時データを付加し、当該入力データ、当該演算結果データ及び当該日時データを互いに関連付けて前記データ保存手段に書き込む保存データ書込手段と、入力された日時データ及び再演算指令に基づいて、前記データ保存手段内の該当する日時データから現在の日時データまでの日時データに関連する入力データに対し、前記演算式記憶手段内の演算式データに基づいて演算を実行し、新たな演算結果データを得る再演算手段と、前記新たな演算結果データを前記データ保存手段に書き込むことにより、当該データ保存手段内の演算結果データを更新する演算結果更新手段とを備えたビル管理装置である。
【００１１】
（作用）
第１の発明では、演算手段を演算式記憶手段内の演算式データに基づいて入力データを演算する構成とし、演算式更新手段が、演算式記憶手段内の演算式データを更新し、再演算手段が、該当する日時データから現在の日時データまでの日時データに関連する入力データに対し、演算式記憶手段内の演算式データに基づいて演算を実行し、新たな演算結果データを得ると、演算結果更新手段が、新たな演算結果データをデータ保存手段に書き込むことにより、当該データ保存手段内の演算結果データを更新する。
【００１２】
このように、演算式を容易に更新でき、更新後の演算式で過去の入力データを再演算することにより、入力データを汎用ソフトウェアで再加工する手間を削減することができる。
【発明の効果】
【００１３】
以上説明したように本発明によれば、演算式を容易に更新でき、更新後の演算式で過去の入力データを再演算することにより、入力データを汎用ソフトウェアで再加工する手間を削減できる。
【発明を実施するための最良の形態】
【００１４】
以下、本発明の各実施形態を図面を用いて説明する。  
（第１の実施形態）
図１は本発明の第１の実施形態に係るビル管理装置を備えたビル管理システムの構成を示す模式図である。このビル管理システムは、管理対象のビル内設備の状態の計測値を示す計測データを保存すると共に、計測データを演算して得られた演算結果データを保存するものである。
【００１５】
具体的にはビル管理システムは、各フロア１０に設けられたセンサ１〜３及び計測データ入力部４と、各フロアから入力される計測データを演算及び保存するビル管理装置２０とを備えている。このビル管理装置２０は、ハードウェア構成、又はハードウェア資源とソフトウェアとの組合せ構成のいずれでも実施可能となっている。組合せ構成のソフトウェアの場合、予めネットワーク又は記憶媒体からインストールされ、ビル管理装置２０の機能を実現させるためのプログラムが使用可能となっている。
【００１６】
ここで、各センサ１〜３は、管理対象のビル内設備の状態の計測値に対応する計測信号ａ’〜ｃ’を計測データ入力部４に送出するものである。各センサ１〜３は、例えば、ビル内の各種設備の状態検出手段（例、ビル内の監視カメラ、電気設備の電力量計、空調設備の温度計、衛生設備（貯水槽など）の塩素濃度計など）が適用可能となっている。また、センサ１〜３は、３個に限らず、任意の個数だけ各フロア１０に設置可能である。計測データは、各種設備毎に任意のデータが使用可能となっており、例えば空調設備の場合、室温、輻射温度、湿度といったデータが使用可能となっている。
【００１７】
計測データ入力部４は、センサ１〜３から個別に受ける計測信号ａ’〜ｃ’を計測データ（計測値を示す入力データ）ａ〜ｃに変換し、定期的又は不定期に、この計測データａ〜ｃをビル管理装置２０に入力するものである。
【００１８】
一方、ビル管理装置２０は、データ保存部２１、演算式記憶部２２、インターフェイス（以下、Ｉ／Ｆという）２３、データ演算部２４、保存データ管理部２５、ＧＵＩ(graphical user interface)アプリケーション部２６、グラフ作成部２７、保存データ読出部２８、演算式更新部２９、再演算部３０、マウス３１、キーボード３２及び表示装置３３を備えている。
【００１９】
ここで、データ保存部２１は、保存データ管理部２５から読出／書込可能な記憶装置であり、計測データａ，ｂ，ｃ、演算結果データｄ及び日時データが互いに関連付けられて保存されるものである。
【００２０】
演算式記憶部２２は、演算式更新部２９から読出／書込可能であり、且つデータ演算部２４及び再演算部３０から読出可能な記憶装置であって、例えば計測データｂ，ｃから演算結果データｄを得るための演算式データが記憶されるものである。
【００２１】
ここで、演算式データは、演算結果データｄが計測データの関数として得られる内容であれば、任意の数式データが使用可能となっている。具体的には例えば、特開２００２−２１３７９５号公報の段落［００３９］−［００４９］に記載の如き、次の（１）式及び（２）式が使用可能となっている。
【００２２】
ＰＭＶ＝ａ０＋ａ１・ＴＡ＋ａ２・ＴＲ＋ａ３・ＲＨ＋ａ４・ＴＡ・ＴＲ＋ａ５・ＴＡ・ＲＨ＋ａ６・ＴＲ・ＲＨ      …（１）
Ｔｓ＝ＴＡ・３０ ＝｛（ＰＭＶ−ａ０−ａ２・ＴＲ−ａ３・ＲＨ−ａ６・ＴＲ・ＲＨ）／（ａ１＋ａ４・ＴＲ＋ａ５・ＲＨ）｝・３０       …（２）
但し、ＰＭＶ：快適度、
ａ０〜ａ６：係数（例えば、演算式の更新時に変更）、
ＴＡ：室内温度の正規化値＝Ｔａ／３０、
Ｔａ：室内温度（℃）（計測データａに相当）、
ＴＲ：平均輻射温度の正規化値＝Ｔｒ／３０、
Ｔｒ：平均輻射温度（℃）（計測データｂに相当）、
ＲＨ：室内湿度の正規化値＝Ｒｈ／８０、
Ｒｈ：室内湿度（％）（計測データｃに相当）、
Ｔｓ：室温設定値（℃）（演算結果データｄに相当）。
【００２３】
Ｉ／Ｆ２３は、計測データ入力部４とビル管理装置２０内との間のインターフェイス機器であり、計測データ入力部４から入力された計測データａ〜ｃのうち、演算式データに用いられる２つの計測データｂ，ｃを個別にデータ演算部２４に送出し、３つの計測データａ〜ｃを保存データ管理部２５に送出するものである。
【００２４】
データ演算部２４は、演算式記憶部２２内の演算式データに基づいて、計測データ入力部４から入力された計測データｂ，ｃを演算し、得られた演算結果データｄを保存データ管理部２５に送出する機能をもっている。
【００２５】
保存データ管理部２５は、データ保存部２１への読出／書込を実行するものであり、以下の機能(f25-1)〜(f25-5)を持っている。
【００２６】
(f25-1)：Ｉ／Ｆ２３から受けた計測データａ〜ｃ及びデータ演算部２４から受けた演算結果データｄに日時データを付加し、当該計測データａ〜ｃ、演算結果データｄ及び日時データを互いに関連付けてデータ保存部２１に書き込む機能。
【００２７】
(f25-2)：グラフ作成部２７から受けた日時データに基づいてデータ保存部２１を検索し、データ保存部２１内の該当する日時データに関連する保存データ（計測データａ〜ｃ、演算結果データｄ及び日時データ）をグラフ作成部２７に送出する機能。
【００２８】
(f25-3)：保存データ読出部２８から受けた日時データに基づいてデータ保存部２１を検索し、データ保存部２１内の該当する日時データに関連する保存データを保存データ読出部２８に送出する機能。
【００２９】
(f25-4)：再演算部３０から受けた日時データに基づいてデータ保存部２１を検索し、データ保存部２１内の該当する日時データから現在の日時データまでの日時データに関連する計測データｂ，ｃ及び日時データを再演算部３０に送出する機能。
【００３０】
(f25-5)：再演算部３０から受けた新たな演算結果データをデータ保存部２１に書き込むことにより、当該データ保存部２１内の演算結果データを更新する機能。
【００３１】
ＧＵＩアプリケーション部２６は、通常のＧＵＩ（グラフィカル・ユーザ・インターフェイス）機能を実現するためのプログラム及びＣＰＵの一機能からなるものであり、特に、マウス３１及びキーボード３２から入力されるデータを各部２７〜３０のうちの該当するものに入力する機能と、各部２７〜３０から得られるデータの表示処理を実行し、表示データを表示装置３３に出力する機能とをもっている。
【００３２】
グラフ作成部２７は、マウス３１及びキーボード３２の操作によりＧＵＩアプリケーション部２６から入力された日時データ及びグラフ作成指令に基づいて、この日時データを保存データ管理部２５に送出する機能と、保存データ管理部２５からデータ保存部２１内の該当する日時データに関連する保存データ（計測データａ〜ｃ、演算結果データｄ及び日時データ）を受けると、この保存データ及び関連する日時データを用いてグラフデータを作成する機能と、グラフデータをＧＵＩアプリケーション部２６に送出する機能をもっている。
【００３３】
ここで、グラフデータは、図２に一例を示すように、互いに関連する日時データ及び演算結果データｄを用い、横軸の日時データに沿って、縦軸の演算結果データｄをプロットしたグラフを表すデータとなっている。図２の例においては、月始めから数えて１０日目に演算式を更新した場合には、１０日目以降に、再演算された演算結果データｄが含まれることを示している。また、図２中の破線（演算式変更前の演算結果データｄ）は、説明の便宜上、描いたものであり、実際のグラフデータには含まれない。
【００３４】
保存データ読出部２８は、マウス３１及びキーボード３２の操作によりＧＵＩアプリケーション部２６から入力された日時データ及び保存データ読出指令に基づいて、この日時データを保存データ管理部２５に送出する機能と、保存データ管理部２５からデータ保存部２１内の該当する日時データに関連する保存データ（計測データａ〜ｃ、演算結果データｄ及び日時データ）を受けると、この保存データをＧＵＩアプリケーション部２６に送出する機能をもっている。ここで、保存データ読出部２８は、保存データ管理部２５から受けた保存データを表形式に加工し、この表形式の保存データをＧＵＩアプリケーション部２６に送出する作表機能を有してもよい。
【００３５】
演算式更新部２９は、マウス３１及びキーボード３２の操作によりＧＵＩアプリケーション部２６から入力された演算式更新指令及び更新後の演算式データに基づいて、演算式記憶部２２内の演算式データを更新後の演算式データに更新する機能をもっている。
【００３６】
再演算部３０は、マウス３１及びキーボード３２の操作によりＧＵＩアプリケーション部２６から入力された日時データ及び再演算指令に基づいて、この日時データを保存データ管理部２５に送出する機能と、保存データ管理部２５からデータ保存部２１内の該当する日時データから現在の日時データまでの日時データに関連する入力データを受けると、この入力データに対し、演算式記憶部２２内の演算式データに基づいて演算を実行し、新たな演算結果データを得る機能と、得られた演算結果データを保存データ管理部２５に送出する機能とをもっている。
【００３７】
マウス３１及びキーボード３２は、通常のマウス装置及びキーボード装置であり、操作者の操作により、各種の指令や日時データ等をＧＵＩアプリケーション部２６に入力する機能をもっている。なお、マウス３１及びキーボード３２は入力装置の一例であり、入力装置はマウス及びキーボードに限定されない。例えば、入力装置にはタッチパネルを用いてもよい。
【００３８】
表示装置３３は、ＧＵＩアプリケーション部２６から受けた表示データを画面表示するものである。
【００３９】
次に、以上のように構成されたビル管理装置の動作を図３のフローチャートを用いて説明する。
【００４０】
いま、各センサ１〜３は、管理対象のビル内設備の状態の計測値に対応する計測信号ａ’〜ｃ’を計測データ入力部４に送出している。計測データ入力部４は、計測信号ａ’〜ｃ’を計測データａ〜ｃに変換し、定期的又は不定期に、この計測データａ〜ｃをビル管理装置２０に入力する。
【００４１】
ビル管理装置２０においては、データ演算部２４が、演算式記憶部２２内の演算式データに基づいて、Ｉ／Ｆ２３から受けた計測データｂ，ｃを演算し、得られた演算結果データｄを保存データ管理部２５に送出する。
【００４２】
保存データ管理部２５は、Ｉ／Ｆ２３から受けた計測データａ〜ｃ及びデータ演算部２４から受けた演算結果データｄに日時データを付加し、当該計測データａ〜ｃ、演算結果データｄ及び日時データを互いに関連付けてデータ保存部２１に書き込む。
【００４３】
これにより、データ保存部２１には、定期的又は不定期に、計測データａ，ｂ，ｃ、演算結果データｄ及び日時データが互いに関連付けられて保存される。
【００４４】
一方、グラフ作成部２７は、マウス３１及びキーボード３２の操作によりＧＵＩアプリケーション部２６から入力された日時データ（例、今月１日から３０日まで）及びグラフ作成指令に基づいて、この日時データを保存データ管理部２５に送出する。ここで、グラフ作成指令は、演算結果データｄを指定した場合を述べる。
【００４５】
保存データ管理部２５は、この日時データに基づいてデータ保存部２１を検索し、データ保存部２１内の該当する日時データに関連する保存データをグラフ作成部２７に送出する。
【００４６】
グラフ作成部２７は、この保存データ及び関連する日時データを用いてグラフデータを作成し、グラフデータをＧＵＩアプリケーション部２６に送出する。ＧＵＩアプリケーション部２６は、グラフデータの表示処理を実行し、表示データを表示装置３３に出力する。
【００４７】
これにより、表示装置３３は、図２の「演算式変更前」に示す如き、グラフを表示する（但し、図２中の破線は実線で表示される。「演算式変更後」の線は表示されない。）。
【００４８】
ここで、現在、月末の３０日であり、２０日前（今月の１０日）に設備変更があったとする。また、現在の演算式を、設備変更の内容に基づいて追加・修正した演算式に更新する必要があったとする。これに伴い、操作者は、演算式を更新するため、マウス３１及びキーボード３２を操作する。
【００４９】
演算式更新部２９は、マウス３１及びキーボード３２の操作によりＧＵＩアプリケーション部２６から入力された演算式更新指令及び更新後の演算式データに基づいて、演算式記憶部２２内の演算式データを更新後の演算式データに更新する（ＳＴ１）。
【００５０】
続いて、操作者は、更新後の演算式データにより、２０日前から現在までの演算をやり直すため、マウス３１及びキーボード３２を操作する。この操作により、２０日前を示す日時データ及び再演算指令がＧＵＩアプリケーション部２６を介して再演算部３０に入力される（ＳＴ２）。
【００５１】
再演算部３０は、入力された日時データ及び再演算指令に基づいて再演算の処理を開始し（ＳＴ３）、この日時データを保存データ管理部２５に送出する。
【００５２】
保存データ管理部２５は、日時データに基づいてデータ保存部２１を検索し（ＳＴ４）、データ保存部２１内の該当する日時データから現在の日時データまでの日時データに関連する計測データｂ，ｃ及び日時データを再演算部３０に送出する。
【００５３】
再演算部３０は、この計測データｂ，ｃ及び日時データを受けると、日時データ毎に、計測データｂ，ｃに対し、演算式記憶部２２内の演算式データに基づいて演算を実行する（ＳＴ５）。
【００５４】
再演算部３０は、ステップＳＴ５により新たな演算結果データを得ると、得られた演算結果データｄ及び関連する日時データを保存データ管理部２５に送出する。
【００５５】
保存データ管理部２５は、この新たな演算結果データｄ及び関連する日時データを受けると、日時データに関連付けて新たな演算結果データｄをデータ保存部２１に書き込むことにより、当該データ保存部２１内の演算結果データを更新する（ＳＴ６）。
【００５６】
これにより、データ保存部２１では、２０日前から現在までの演算結果データｄが更新後の演算式データを反映した値で保存される。また、現在以降の演算結果データｄは、更新後の演算式データに基づいて算出されることは言うまでもない。
【００５７】
一方、グラフ作成部２７は、前述同様に、入力された日時データ及びグラフ作成指令に基づく処理によりグラフデータを作成し、このグラフデータをＧＵＩアプリケーション部２６に送出する。ＧＵＩアプリケーション部２６は、グラフデータの表示処理を実行し、表示データを表示装置３３に出力する。
【００５８】
これにより、表示装置３３は、図２の「演算式変更後」に示す如き、グラフを表示する（但し、図２中の「演算式変更前」の破線は表示されない。）。
【００５９】
上述したように本実施形態によれば、データ演算部２４を演算式記憶部２２内の演算式データに基づいて入力データを演算する構成とし、且つ演算式更新部２９を設けたことにより、演算式を容易に更新でき、さらに、再演算部３０が更新後の演算式で過去の計測データｂ，ｃを再演算することにより、計測データｂ，ｃを汎用ソフトウェアで再加工する手間を削減することができる。
【００６０】
補足すると、一般に、エネルギー管理や検証、コミッショニングにおいては、運用期間が長くなると、演算式を更新する機会が増えることにより、演算結果データを汎用ソフトウエアで再加工した後に書き直す状況が次第に増えていく傾向にある。
【００６１】
これに対し、本実施形態のビル管理装置では、エネルギー管理、検証、コミッショニング等において、演算式データの更新を過去の入力データに対して容易に反映できるため、作業効率を飛躍的に向上させることができる。なお、ビル管理の分野において、計測データの入力経路にデータ演算部を設け、計測データと演算結果データとの同時保存を実現した製品は、最近現れ始めたばかりである。従って、ビル管理の分野において、本実施形態のように過去の入力データに遡って演算結果を修正するという優れた着想は存在しない。
【００６２】
但し、本実施形態は、ビル管理システムに限らず、エネルギー管理システム等の任意のシステムに適用することができる。また、過去の日時データの指定方法は、「過去のある時点の日時データから現在まで」という指定方式に限らず、「いつからいつまで」という指定方式を用いてもよい。
【００６３】
（第２の実施形態）
図４は本発明の第２の実施形態に係るビル管理装置を備えたビル管理システムの構成を示す模式図であり、図１と同一部分には同一符号を付してその詳しい説明を省略し、ここでは異なる部分について主に述べる。
【００６４】
すなわち、本実施形態は、第１の実施形態の変形例であり、計測データｂ，ｃの演算結果データｄだけでなく、その演算結果データｄに基づく評価データ（例、エネルギー削減率（省エネ率）、効率など）ｅをも、再演算する構成となっている。
【００６５】
これに伴い、データ保存部２１ａは、前述した保存内容に加え、演算結果データｄに関連付けられた評価データｅが保存されるものとなっている。
【００６６】
演算式記憶部２２ａは、前述した記憶内容に加え、演算結果データｄに基づいて評価データｅを得るための演算式データが記憶されるものとなっている。この演算式データは、評価データｅが演算結果データｄの関数として得られる内容であれば、任意の数式データが使用可能となっている。具体的には例えば、特許文献１の段落［００１８］及び［００３１］の記載に基づく次の（３）式が使用可能となっている。
【００６７】
ｅ＝α（Ｔｓ−Ｔａ）      …（３）
但し、ｅ：エネルギー削減率（％）（省エネ率ともいう。評価データｅに相当）、
α：温度を１度変化させるのに要するエネルギー削減率（％／℃）、
Ｔｓ：室温設定値（℃）（演算結果データｄに相当）、
Ｔａ：室内温度（℃）（計測データａに相当）。
【００６８】
なお、評価データｅの演算式データは、演算結果データｄに基づくものに限らず、計測データａ〜ｃの関数として得られる内容でもよい。また、評価データｅは、エネルギー削減率に限らず、効率（＝出力エネルギー／消費エネルギー）等といった任意の指標が使用可能なことはいうまでもない。
【００６９】
データ演算部２４ａは、前述した機能に加え、演算式記憶部２２内の演算式データに基づいて、計測データｂ，ｃから得られた演算結果データｄ（及び計測データａ）に基づいて、評価データｅを演算し、得られた評価データｅを保存データ管理部２５ａに送出する機能をもっている。
【００７０】
保存データ管理部２５ａは、前述した機能(f25-1)〜(f25-5)において、評価データｅをも読出／書込する構成となっている。すなわち、各機能(f25-1)〜(f25-5)は以下に、評価データｅを含む内容に拡張されている。
【００７１】
(f25-1)：Ｉ／Ｆ２３から受けた計測データａ〜ｃ及びデータ演算部２４ａから受けた演算結果データｄ及び評価データｅに日時データを付加し、当該計測データａ〜ｃ、演算結果データｄ、評価データｅ及び日時データを互いに関連付けてデータ保存部２１ａに書き込む機能。
【００７２】
(f25-2)：グラフ作成部２７ａから受けた日時データに基づいてデータ保存部２１ａを検索し、データ保存部２１ａ内の該当する日時データに関連する保存データ（計測データａ〜ｃ、演算結果データｄ、評価データｅ及び日時データ）をグラフ作成部２７ａに送出する機能。
【００７３】
(f25-3)：保存データ読出部２８ａから受けた日時データに基づいてデータ保存部２１ａを検索し、データ保存部２１ａ内の該当する日時データに関連する保存データ（計測データａ〜ｃ、演算結果データｄ、評価データｅ及び日時データ）を保存データ読出部２８ａに送出する機能。
【００７４】
(f25-4)：再演算部３０ａから受けた日時データに基づいてデータ保存部２１ａを検索し、データ保存部２１ａ内の該当する日時データから現在の日時データまでの日時データに関連する計測データａ〜ｃ及び日時データを再演算部３０ａに送出する機能。
【００７５】
(f25-5)：再演算部３０ａから受けた新たな演算結果データｄ及び評価データｅをデータ保存部２１ａに書き込むことにより、当該データ保存部２１ａ内の演算結果データｄ及び評価データｅを更新する機能。
【００７６】
グラフ作成部２７ａは、前述した機能に加え、グラフ作成指令が評価データｅの指定を含む場合、保存データ管理部２５ａからデータ保存部２１ａ内の該当する日時データに関連する保存データ（計測データａ〜ｃ、演算結果データｄ、評価データｅ及び日時データ）を受けると、評価データｅ及び関連する日時データを用いてグラフデータを作成する機能と、グラフデータをＧＵＩアプリケーション部２６に送出する機能をもっている。
【００７７】
ここで、グラフデータは、図５に一例を示すように、互いに関連する日時データ及び評価データｅを用い、横軸の日時データに沿って、縦軸の評価データｅをプロットしたグラフを表すデータとなっている。図５の例においては、月始めから数えて１０日目に演算式を更新した場合には、１０日目以降に、再演算された評価データｅが含まれることを示している。また、図５中の破線（演算式変更前の評価データｅ）は、説明の便宜上、描いたものであり、実際のグラフデータには含まれない。
【００７８】
保存データ読出部２８ａは、前述した機能に加え、保存データ管理部２５ａからデータ保存部２１ａ内の該当する日時データに関連する保存データ（計測データａ〜ｃ、演算結果データｄ、評価データｅ及び日時データ）を受けると、この保存データをＧＵＩアプリケーション部２６に送出する機能をもっている。ここで、保存データ読出部２８ａは、前述同様に、作表機能を有してもよい。
【００７９】
演算式更新部２９ａは、前述した機能において、評価データｅを得るための演算式データをも更新可能なものである。
【００８０】
再演算部３０ａは、前述した機能に加え、得られた演算結果ｄに対し、演算式記憶部２２ａ内の演算式データに基づいて演算を実行し、新たな評価データｅを得る機能と、得られた評価データｅを保存データ管理部２５ａに送出する機能とをもっている。
【００８１】
次に、以上のように構成されたビル管理装置の動作を図６のフローチャートを用いて説明する。
【００８２】
いま、ビル管理装置２０においては、データ演算部２４ａが、演算式記憶部２２ａ内の演算式データに基づいて、Ｉ／Ｆ２３から受けた計測データａ〜ｃを演算し、得られた演算結果データｄ及び評価データｅを保存データ管理部２５ａに送出する。
【００８３】
保存データ管理部２５ａは、Ｉ／Ｆ２３から受けた計測データａ〜ｃと、データ演算部２４ａから受けた演算結果データｄ及び評価データｅとに日時データを付加し、当該計測データａ〜ｃ、演算結果データｄ、評価データｅ及び日時データを互いに関連付けてデータ保存部２１ａに書き込む。
【００８４】
これにより、データ保存部２１ａには、定期的又は不定期に、計測データａ，ｂ，ｃ、演算結果データｄ、評価データｅ及び日時データが互いに関連付けられて保存される。
【００８５】
一方、グラフ作成部２７ａは、前述同様にグラフデータを作成し（但し、グラフ作成指令は評価データｅを指定した場合とする）、グラフデータをＧＵＩアプリケーション部２６に送出する。ＧＵＩアプリケーション部２６は、グラフデータの表示処理を実行し、表示データを表示装置３３に出力する。
【００８６】
これにより、表示装置３３は、図５の「演算式変更前」に示す如き、グラフを表示する（但し、図２中の破線は実線で表示される。「演算式変更後」の線は表示されない。）。
【００８７】
ここで、前述同様に、演算結果データｄの演算式を、設備変更の内容に基づいて追加・修正した演算式に更新する必要があったとする。
【００８８】
これに伴い、前述同様に、ステップＳＴ１〜ＳＴ４が実行され、保存データ管理部２５ａは、データ保存部２１ａ内の該当する日時データから現在の日時データまでの日時データに関連する計測データａ〜ｃ及び日時データを再演算部３０ａに送出したとする。
【００８９】
再演算部３０ａは、この計測データｂ，ｃ及び日時データを受けると、日時データ毎に計測データｂ，ｃに対し、演算式記憶部２２ａ内の演算式データに基づいて演算を実行し、新たな演算結果データｄを得る。
【００９０】
しかる後、再演算部３０ａは、新たな演算結果データｄに対し、演算式記憶部２２ａ内の演算式データ及び計測データａに基づいて演算を実行し（ＳＴ５ａ）、新たな評価データｅを得る。なお、評価データｅの演算式データは、更新していない場合（前述同様のステップＳＴ１の場合）を述べたが、ステップＳＴ１で更新してもよい。
【００９１】
いずれにしても、再演算部３０ａは、ステップＳＴ５ａにより新たな演算結果データｄ及び評価データｅを得ると、得られた演算結果データｄ、評価データｅ及び関連する日時データを保存データ管理部２５ａに送出する。
【００９２】
保存データ管理部２５ａは、この新たな演算結果データｄ、評価データｅ及び関連する日時データを受けると、日時データに関連付けて新たな演算結果データｄ及び評価データｅをデータ保存部２１ａに書き込むことにより、当該データ保存部２１ａ内の演算結果データｄ及び評価データｅを更新する（ＳＴ６ａ）。
【００９３】
これにより、データ保存部２１ａでは、２０日前から現在までの演算結果データｄ及び評価データｅが更新後の演算式データｄを反映した値で保存される。また、現在以降の演算結果データｄ及び評価データｅは、更新後の演算式データｄに基づいて算出されることは言うまでもない。
【００９４】
一方、グラフ作成部２７ａは、前述同様に、入力された日時データ及びグラフ作成指令に基づく処理によりグラフデータを作成し、このグラフデータをＧＵＩアプリケーション部２６に送出する。ＧＵＩアプリケーション部２６は、グラフデータの表示処理を実行し、表示データを表示装置３３に出力する。
【００９５】
これにより、表示装置３３は、図５の「演算式変更後」に示す如き、グラフを表示する（但し、図５中の「演算式変更前」の破線は表示されない。）。
【００９６】
上述したように本実施形態によれば、第１の実施形態の効果に加え、評価データｅについても、更新後の演算式を反映させることができるので、入力データを汎用ソフトウェアで再加工する手間を削減することができる。
【００９７】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００９８】
【図１】本発明の第１の実施形態に係るビル管理装置を備えたビル管理システムの構成を示す模式図である。
【図２】同実施形態におけるグラフ作成部の機能を説明するための模式図である。
【図３】同実施形態における動作を説明するためのフローチャートである。
【図４】本発明の第２の実施形態に係るビル管理装置を備えたビル管理システムの構成を示す模式図である。
【図５】同実施形態におけるグラフ作成部の機能を説明するための模式図である。
【図６】同実施形態における動作を説明するためのフローチャートである。
【符号の説明】
【００９９】
１〜３…センサ、４…計測データ入力部、１０…各フロア、２０…ビル管理装置、２１，２１ａ…データ保存部、２２，２２ａ…演算式記憶部、２３…Ｉ／Ｆ、２４，２４ａ…データ演算部、２５，２５ａ…保存データ管理部、２６…ＧＵＩアプリケーション部、２７，２７ａ…グラフ作成部、２８，２８ａ…保存データ読出部、２９，２９ａ…演算式更新部、３０，３０ａ…再演算部、３１…マウス、３２…キーボード、３３…表示装置。
【図１】
2008102710.tif 000003
【図２】
2008102710.tif 000004
【図３】
2008102710.tif 000005
【図４】
2008102710.tif 000006
【図５】
2008102710.tif 000007
【図６】
2008102710.tif 000008